【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
少なくとも１つのルートページを含む複数のページを備えるイントラネットを処理するための方法であって、
（Ａ）前記イントラネットをクロールして前記イントラネット中の前記複数のページの少なくとも一部を識別するアクトと、
（Ｂ）前記識別したページのそれぞれについて、前記少なくとも１つのルートページのルートページから前記識別したページまでの最短パスのリンク数であって、第１の数を構成する数を決定するアクトと、
（Ｃ）検索クエリに応答して前記複数のページの数であって、第２の数を構成する数を識別するアクトと、
（Ｄ）前記検索クエリに応答して選択されたページを提示するアクトであって、前記選択されたページの提示は、前記クエリに対する各選択されたページの関連性の程度を示し、前記関連性は前記第１の数を前記第２の数と比較することに部分的基づくアクトと
を備えることを特徴とする方法。
【請求項２】
（Ｅ）前記識別したページのそれぞれについて、前記少なくとも１つのルートページから前記識別したページまでの最短パスのリンクの前記第１の数を示す情報を格納するアクトであって、前記情報が前記イントラネット中の前記識別したページの階層レベルを指定するアクト
をさらに備えることを特徴とする請求項１に記載の方法。
【請求項３】
（Ｆ）前記識別したページの階層レベルと相関する前記識別したページの主題の具体性レベルを定めるアクト
をさらに備えることを特徴とする請求項２に記載の方法。
【請求項４】
前記主題の具体性レベルは、前記少なくとも１つのルートページからの最短パスのリンクの第１の数がより大きい識別したページについての値のほうが、前記少なくとも１つのルートページからの最短パスのリンクの第１の数がより小さい識別したページについての値に比べて大きいことを特徴とする請求項３に記載の方法。
【請求項５】
（Ｅ）複数のコンセプトページを複数のルートページであるように選択するアクト
をさらに備えることを特徴とする請求項１に記載の方法。
【請求項６】
前記アクト（Ａ）は、前記複数のルートページのそれぞれから出発して前記イントラネットを通して複数のクロールを開始することによって、前記イントラネットをクロールすることを備えることを特徴とする請求項１に記載の方法。
【請求項７】
前記アクト（Ａ）は、前記イントラネット中の前記複数のページのすべてを識別するアクトを備えることを特徴とする請求項１に記載の方法。
【請求項８】
前記複数のページの少なくとも１つは、ＨＴＭＬ書式を備えることを特徴とする請求項１に記載の方法。
【請求項９】
前記イントラネットは、ウェブサイトに関連づけられることを特徴とする請求項１に記載の方法。
【請求項１０】
（Ｅ）識別したページごとに、前記最短パスのリンクの前記第１の数に関連する逆ページレベルを決定するアクト
をさらに備えることを特徴とする請求項１に記載の方法。
【請求項１１】
（Ｆ）前記識別したページのうち、リンクのしきい値数より小さいリンク数の最短パスを有するページを除外するアクト
をさらに備えることを特徴とする請求項１０に記載の方法。
【請求項１２】
（Ｅ）前記複数のページの各ページをパースして前記ページ内の任意のタームを識別するアクト
をさらに備えることを特徴とする請求項１に記載の方法。
【請求項１３】
（Ｆ）識別したタームごとに、前記ページのルートノードからの距離を決定するアクト
をさらに備えることを特徴とする請求項１２に記載の方法。
【請求項１４】
（Ｇ）識別したタームごとに、前記ルートからの距離を示す情報を格納するアクトであって、前記情報が前記ページの前記識別したタームについての階層レベルを指定するアクト
をさらに備えることを特徴とする請求項１３に記載の方法。
【請求項１５】
前記第２の数を決定することは、クエリの具体性を表す値を計算することであって、前記クエリの具体性が前記クエリに応答して返される潜在的ページ数と逆の関係を有することを備えることを特徴とする請求項１に記載の方法。
【請求項１６】
前記アクト（Ｄ）は、前記クエリの具体性のレベルに関連する具体性のレベルを有するページを前記選択されたページとして自動的に提示することを備えることを特徴とする請求項１５に記載の方法。
【請求項１７】
前記アクト（Ｄ）は、前記選択されたページの具体性のレベルに相関づけられる順序で前記選択されたページを提示することを備えることを特徴とする請求項１６に記載の方法。
【請求項１８】
複数のページを備えるイントラネットの検索の結果をランク付けする際の使用のためのデータを作成するための方法であって、各ページが階層構造として構成された複数のタームを備え、
（Ａ）少なくとも１つのページをパースして前記ページの前記複数のタームの少なくとも１つを識別するアクトと、
（Ｂ）識別したタームごとに、前記ページの階層構造内の各識別したタームの位置に基づいて前記タームの具体性の値を自動的に計算するアクトと、
（Ｃ）識別したタームごとに、前記識別したタームの前記具体性の値を格納するアクトと
を備えることを特徴とする方法。
【請求項１９】
前記アクト（Ｃ）は、識別したタームごとに、前記ページの階層構造内の前記タームの位置に基づいて前記タームの具体性を示す情報を格納することを備えることを特徴とする請求項１８に記載の方法。
【請求項２０】
前記階層構造は、少なくとも１つのルートレベルを備える複数のレベルを備え、前記アクト（Ｂ）は、前記少なくとも１つのルートレベルのレベルから前記識別したタームのレベルまでの最短パスのレベル数を決定することによって前記タームの具体性の値を自動的に計算することを備えることを特徴とする請求項１８に記載の方法。
【請求項２１】
前記少なくとも１つのページは、ＨＴＭＬに従って構成され、前記少なくとも１つのページは、ＨＴＭＬルートタグに関連づけられることを特徴とする請求項２０に記載の方法。
【請求項２２】
前記少なくとも１つのページは、表示書式を備え、前記タームの具体性の値は、前記タームに関連づけられた前記表示書式に少なくとも部分的基づいて自動的に計算されることを特徴とする請求項２１に記載の方法。
【請求項２３】
前記少なくとも１つのページの階層構造中のレベルは、前記ページのＨＴＭＬ構造中のノードのレベルに関連づけられることを特徴とする請求項２１に記載の方法。
【請求項２４】
前記ＨＴＭＬ構造中のノードのレベルは、少なくとも部分的に書式化特性に関連づけられることを特徴とする請求項２３に記載の方法。
【請求項２５】
前記書式化特性は、識別可能なフォント、識別可能な色、ハイパーリンク、タイトル、コーディングタグ、およびメタタグを備えるタグタイプのグループから選択される少なくとも１つのタグタイプを備えることを特徴とする請求項２４に記載の方法。
【請求項２６】
前記識別したタームに関連づけられたタグタイプの具体性重みファクタに少なくとも部分的に関連して、前記識別したタームについての具体性の値を自動的に計算するアクト（Ｄ）をさらに備えることを特徴とする請求項２５に記載の方法。
【請求項２７】
前記タグタイプの具体性重みファクタは、前記イントラネットにおける前記タグタイプの頻度に少なくとも部分的に基づくことを特徴とする請求項２６に記載の方法。
【請求項２８】
前記少なくとも１つのページを返す検索に対する結果をランク付けするアクトであって、前記ランク付けが前記クエリに関連づけられる具体性の程度に対して前記クエリにマッチするページのタームについて計算される具体性の値に基づいて関連性スコアを計算することを備えるアクト（Ｄ）をさらに備えることを特徴とする請求項１８に記載の方法。
【請求項２９】
前記主題の具体性レベルは、前記階層構造中でより高い位置にある識別したタームよりも、前記階層構造中でより深い位置にある識別したタームのほうが関連する具体性の程度が大きいことを特徴とする請求項２８に記載の方法。
【請求項３０】
前記識別したタームは、前記少なくとも１つのページ中に２以上のインスタンスを有し、前記アクト（Ｄ）は、前記識別したタームの前記２以上のインスタンスのすべての位置に少なくとも部分的に関連して、前記識別したタームについての具体性の値を自動的に計算することを備えることを特徴とする請求項２８に記載の方法。
【請求項３１】
前記アクト（Ｄ）は、前記少なくとも１つのページについて決定された具体性の値に少なくとも部分的に基づいて前記具体性の値を決定することを備えることを特徴とする請求項２８に記載の方法。
【請求項３２】
前記具体性の値は、前記階層構造のルートレベルからの距離が相対的により短い識別したタームについての具体性の値よりも、前記ルートレベルからの距離がより大きい識別したタームについてより大きいことを特徴とする請求項２８に記載の方法。
【請求項３３】
前記アクト（Ａ）は、前記ページ中の前記複数のタームのすべてを識別するアクトを備えることを特徴とする請求項１８に記載の方法。
【請求項３４】
前記イントラネットは、複数のページを備え、前記方法は、前記複数のページのそれぞれについて前記アクト（Ａ）および（Ｂ）を行うことを備えることを特徴とする請求項１８に記載の方法。
【請求項３５】
前記イントラネットは、ウェブサイトに関連づけられることを特徴とする請求項１８に記載の方法。
【請求項３６】
少なくとも１つのプロセッサ上での実行のためにプログラムでエンコードされたコンピュータ記憶媒体であって、前記プログラムは、前記少なくとも１つのプロセッサ上で実行されると、複数のページを備えたイントラネットのクエリを処理するための方法を行い、前記複数のページのそれぞれが少なくとも１つのコンテンツタームを含み、前記方法は、
（Ａ）前記クエリを受け取るアクトであって、前記クエリが少なくとも１つの検索タームを備えたアクトと、
（Ｂ）前記クエリの少なくとも１つの検索タームに少なくとも部分的に基づいて前記クエリの具体性の程度を自動的に決定するアクトと、
（Ｃ）前記クエリにマッチするページを選択するアクトであって、前記選択することは前記クエリの具体性の程度を前記クエリの前記少なくとも１つの検索タームにマッチするタームを有するページの具体性の程度と比較することを備えるアクトと
を備えたことを特徴とするコンピュータ可読媒体。
【請求項３７】
前記イントラネットは、少なくとも１つのルートを有するページの階層として構成され、前記複数のページの１つごとに、ページ具体性が前記階層中の前記複数のページの前記１つの位置に基づいて前記少なくとも１つのルートにより近いページがより一般的であると認識され、前記アクト（Ｃ）は、前記アクト（Ｂ）で決定された前記クエリの具体性の程度に類似したページ具体性を有するページを優先する選択プロセスを用いて、前記クエリにマッチするものとして前記複数のページの少なくとも一部を選択するアクトを備えたことを特徴とする請求項３６に記載のコンピュータ可読媒体。
【請求項３８】
前記選択プロセスは、前記アクト（Ｂ）で決定された前記クエリの具体性の程度とマッチする近さに基づいて前記選択されたページをランク付けすることによって、前記アクト（Ｂ）で決定された前記クエリの具体性の程度に類似したページ具体性を有するページを優先することを特徴とする請求項３７に記載のコンピュータ可読媒体。
【請求項３９】
前記アクト（Ｃ）は、前記アクト（Ｂ）で決定された前記クエリの具体性の程度に少なくとも部分的に依存するランク付けプロセスに基づいて、前記クエリに応答して提示のために前記選択されたページの少なくとも一部をランク付けすること
を備えたことを特徴とする請求項３６に記載のコンピュータ可読媒体。
【請求項４０】
前記アクト（Ｂ）は、前記複数のページのうち前記クエリにマッチするページ数を決定することを備えたことを特徴とする請求項３６に記載のコンピュータ可読媒体。
【請求項４１】
前記アクト（Ｂ）は、前記少なくとも１つの検索タームにマッチするコンテンツタームを含む前記複数のページ数を決定することを備えたことを特徴とする請求項３６に記載のコンピュータ可読媒体。
【請求項４２】
前記アクト（Ｂ）は、前記クエリにマッチするコンテンツタームを含む前記複数のページ数と逆の関係になるように、前記クエリの具体性の程度を決定することを備えたことを特徴とする請求項３６に記載のコンピュータ可読媒体。